(57)【要約】  インターネットプロトコールヴァージョン６（ＩＰv６）におけるモバイルルータをサポートする方法とシステムを提供する。モバイルルータはアドレスコンフィギュレーション（４１０）に関連のケアーオブーアドレスを取得する。モバイルルータはホームエージェント（４１５）にケア−オブ−アドレスを登録する。モバイルルータとホームエージェント（４２０）との間で双方向トンネルが確立される。それから、その双方向トンネルを介してパケットが送られる。
2005510122.tif 000002
【特許請求の範囲】
【請求項１】
アドレスコンフィギュレーションに関連したケア−オブ−アドレスをモバイルルータにより取得し、
モバイルルータにより当該ケア−オブ−アドレスをホームエージェントに登録し、
モバイルルータとホームエージェントとの間に双方向トンネルを、モバイルルータにより確立し、そして
モバイルネットワークに関連のアドレスを採用して、双方向トンネルを介してコンフィギュレーション情報を送る
ようにしたＩＰｖ６におけるモバイルルータを支える方法。
【請求項２】
一組のプリフイックス内にアドレスプリフイックスを含んでいるパケットをモバイルルータに送ることを要求する請求項１に記載の方法。
【請求項３】
コンフィギュレーション情報がスタチックである請求項１に記載の方法。
【請求項４】
コンフィギュレーション情報がダイナミックである請求項１に記載の方法。
【請求項５】
コンフィギュレーション情報がルーチング情報である請求項１に記載の方法。
【請求項６】
ネットワークへアタッチしながらモバイルルータがケア−オブ−アドレスを取得し、当該ネットワークはネットワークアドレスと関連し、このネットワークアドレスはプリフイックスを含んでおり、そしてアドレスコンフィギュレーションと関連のケア−オブ−アドレスはプリフイックスとモバイルルータの識別子とを組み合わせて発生させるようにした請求項１に記載の方法。
【請求項７】
ステートレスアドレスオートコンフィギュレーションとステートフルアドレスコンフィギュレーションの中の少なくとも一つによりモバイルルータはケア−オブ−アドレスを取得する請求項１に記載の方法。
【請求項８】
コンフィギュレーション情報をカプセル化する請求項１に記載の方法。
【請求項９】
モバイルルータのホームアドレスを含むパケットをホームエージェントにおいて受け取り、そして
双方向トンネルを介してモバイルルータへパケットを送るようにした請求項１に記載の方法。
【請求項１０】
ホームエージェントに含まれているテーブルからケア−オブ−アドレスを回収するのにホームアドレスを採用する請求項９に記載の方法。
【請求項１１】
ホームエージェントから到達できるモバイルルータに関連のルーチングエントリを含んでいるルーチングテーブルをホームエージェントにより更新し、
ホームエージェントによりパケットを受け取り、
モバイルルータと関連の双方向トンネルをホームエージェントにより選択し、
モバイルルータへパケットをホームエージェントによりトンネルさせる
ようにしたＩＰｖ６におけるモバイルルータを支える方法。
【請求項１２】
パケットをモバイルルータへ行かせる請求項１１に記載の方法。
【請求項１３】
モバイルルータを介して到達できるモバイルネットワーク上のノードへパケットを行かせる請求項１１に記載の方法。
【請求項１４】
ホームエージェントへ別のパケットをモバイルルータによりトンネルさせる請求項１１に記載の方法。
【請求項１５】
モバイルルータを介して到達できるモバイルネットワーク上のノードから他のパケットを、モバイルルータにより受け取る請求項１４に記載の方法。
【請求項１６】
結合キャッシュの中を見てモバイルルータと関連のケア−オブ−アドレスを取得する請求項１１に記載の方法。
【請求項１７】
モバイルルータ、
ホームエージェントそして
モバイルルータをホームエージェントに接続する双方向トンネル
を備え、
モバイルルータのホームアドレスを含んでいるパケットを受ける行為と、
モバイルネットワークと関連のアドレスを含んでいるパケットを双方向トンネルを介してモバイルルータへ送る行為と
を遂行するようにホームエージェントを構成した、ＩＰｖ６におけるモバイルルータを支えるシステム。
【請求項１８】
双方向トンネルが構成可能となっている請求項１７に記載の方法。
【請求項１９】
双方向トンネルがスタチックに構成可能となっている請求項１８に記載のシステム。
【請求項２０】
双方向トンネルがダイナミックに構成可能となっている請求項１８に記載のシステム。
【請求項２１】
パケットをモバイルネットワークへ送る手段、
パケットをホームネットワークにおいて受ける手段、そして
このパケットを受ける手段へ前記のパケットを送る手段を接続する双方向トンネル
を備え、いずれのパケットも前記のパケットを送る手段のホームアドレスを含んでおり、そして前記のパケットを受け取る手段により受け取られたパケットを双方向トンネルを介してモバイルネットワークへ送る手段へ送るようにした、ＩＰｖ６におけるモバイルルータを支えるシステム。
【発明の詳細な説明】
【技術分野】
【０００１】
本発明は一般にネットワーキングに係るものであり、そして具体的にはＩＰｖ６におけるモバイルルータを支えるシステムと方法とに係るものである。
【背景技術】
【０００２】
徒歩でも、飛行機でも、車でも人々は頻繁に旅行する。旅行中一つか、もしくはそれ以上の電子デバイスを持ち歩く。例えば、多くの人が携帯電話を持ち歩く。さらには、ラップトップのカーエレクトロニックスや他の電子デバイスを持って車で動く。
【０００３】
インターネットとの接続維持が一層重要となっている。人々は株価をチェックし、天候を調べ、そしてｅメールを介して交信したいと思っている。電子カレンダーをいつも使えるようにしておきたいし、書類やインターネットからの情報を得たいと思っている。オンラインで相互にゲームをしたがっている。
【発明の開示】
【発明が解決しようとする課題】
【０００４】
こういう必要性から接続維持が課題となってくる。それぞれのデバイスを携帯もしくは衛星と交信できるようにしておくことが「何時も繋がっている」ということを体験させるが、これは製作者と利用者との両方にとって費用がかかる。例えば、利用者はその所持しているそれぞれのデバイスに月極めの接続料金を支払いたいとは思わない。携帯電話のチャンネルもしくは衛星チャンネルを介して各デバイスが接続して動けるようになっているということにたいして利用者は支払いたいなどとは思わない。こういうことで、モバイル環境内で動き回っている一群のデバイスへインターネットを接続しておけるように既存のインフラストラクチャーに梃入れする手段が必要とされる。
【課題を解決するための手段】
【０００５】
インターネットプロトコールヴァージョン６（ＩＰｖ６）におけるモバイルルータをサポートもしくは支える方法とシステムとを提供する。モバイルルータはアドレスコンフィギュレーションに関連したケアーオブーアドレスを取得する。モバイルルータはそのケア−オブ−アドレスをホームエージェントに登録する。モバイルルータとホームエージェントとの間に双方向トンネルを確立する。それから、双方向トンネルを介してパケットを送る。
【０００６】
本発明の一つの態様としては、一組のプリフイックス内にアドレスプリフイックスを含んでいるパケットをモバイルルータに送るようにしている。
【０００７】
本発明の別の態様としてはコンフィギュレーション情報が双方向トンネルを介して送られている。このコンフィギュレーション情報はルーチング情報でもよい。コンフィギュレーション情報はスタチックもしくはダイナミックである。コンフィギュレーション情報がカプセル化していてもよい。
【０００８】
本発明の別の態様では、ネットワークへアタッチしながらモバイル  ルータがケア−オブ−アドレスを取得する。このネットワークはネットワーク  アドレスと関連している。このネットワークアドレスはプリフイックスを含んでいる。ケア−オブ−アドレスはプリフイックスをモバイルルータの識別子と組み合わせて発生させる。
【０００９】
本発明の別の態様では、モバイルルータのホームアドレスを含むパケットをホームエージェントが受け取る。それから、双方向トンネルを介してモバイル  ルータへパケットを送る。モバイルルータのホームアドレスを採用してホームエージェントに含まれるテーブルからケアーオブーアドレスを回収する。
【００１０】
本発明の別の態様では、ホームエージェントがルーチングテーブルを更新する。このルーチングテーブルはホームエージェントから到達できるモバイルルータに関連のルーチングエントリを含んでいる。ホームエージェントはパケットを受け取る。ホームエージェントはモバイル  ルータと関連の双方向トンネルを選択する。それから、ホームエージェントはモバイルルータへパケットをトンネルさせる。このパケットはモバイルルータへ行かせるか、もしくはモバイルルータを介して到達できるモバイルネットワーク上のノードへパケットを行かせる。
【００１１】
本発明の別の態様では、上に述べたような態様で作動するシステムが提供される。
本発明を特徴付けている上述の、そして他の特徴と利点とは添付図を参照しての以下の説明から明らかとなろう。
【発明を実施するための最良の形態】
【００１２】
以下の本発明の実施例の詳細な説明では、その説明の一部を構成している添付図を参照するが、これらの図面は本発明の特定の実施例を示しているのである。これらの実施例は当業者であれば本発明を実施できる程度に詳細に説明されている。理解さるべきこととして本発明の技術思想の範囲内でさまざまに変更して実施できると言うことである。それ故、以下の説明は本発明をそれに限定するものではない。本発明の技術思想の範囲は請求項により限定される。
【００１３】
本発明の実施例においてモバイルルータとして働くモバイルノードはそれのホームドメインに自動的に登録しており、そのモバイルノードと共に動く複数のデバイスへのセッションを保存している。モバイルルータの背後には複数の静止のもしくは移動のデバイスがある。このアクセス法を繰り返して適用して、からみ合わせたモバイルネットワーク（他のモバイルネットワーク内で作動する）をつくることもできる。
【００１４】
現在のモバイルＩＰｖ６−ベースのデータ交信ネットワーク上でのモバイルネットワークの動作態様はホストのモビリティもしくは移動性のサポートである。ルータモビリティはホストのモビリティの延長であると考えられており、サブネットがモバイルノードへ接続でき、そしてそれと一緒に動くようにする。
【００１５】
以下に説明する実施例の方法では、モバイルルータとそれのホームエージェントはモバイル  ルータに直接アクセスできるホストとネットワークのためテーブルエントリーを送ると言う挿入をサポートし、それと一緒に、モバイル  ルータによりインターネットのその残りの部分へ送られるパケットを動かすと言う挿入をサポートする。この方法は２つの場合を考えている。第１の場合は、事前構成のスタチックなネットワークルートをホームエージェントから得る利用者のデバイスである。ホームエージェントはこのルートを、モバイルルータがそれのホーム  エージェントに登録されているか、いないかによって、挿入し、排除する。第２の場合は、ルーチングプロトコールを恰もそれがそれのホームドメインであるかのように、働かせるフル  フイチャード（full-featured）モバイルルータを考えている。このダイナミックなルーチング  プロトコールシグナリングは、モバイルルータとそれのホームエージェントとの間の双方向トンネリングにわたって延ばされていて、このトンネルはヴァーチュアルなポイントツーポイントリンクのように見える。このリンクを使ってモバイルルータ（そしてそれにアタッチされたモバイルネットワーク）とホームネットワークとの間でパケットを送るのに使われ、モバイル  ネットワークへのそしてそれからのパケットは処理され、そしてホームドメインから戻されるように見える。モバイルネットワーク上のホストには、そしてそれらのホストに対応するノードにはモビリティは見えない。
【００１６】
この方法が有用である一つの場合は、複数のデバイスを有する利用者がグローバルインターネットへの異なるアクセスポイントへ動いていき、アタッチするときである。その利用者のデバイスはＩＰｖ６適応であるとし、そしてモバイルルータのような一次デバイスを介してグローバルインターネットへ接続できる。又、この方法は分布構成をエネーブルし、その構成ではパブリックインターネットを介してコーポレートネットワークへ、例えばセキュア（secure）双方向トンネルにより一群のノードが接続でき、そしてダイナミックルーテイングプロトコルで作動しているモバイルルータを介して接続された一組の移動ノードへとコーポレートネットワークを展開していく。
【００１７】
この方法は既存のルーティングプロトコルに従ってルーティングを遂行する。モバイルルータとホームエージェントとの間のトンネルによりルーテイングは容易となる。転送状態を変える認可は、ホームネットワークへのルートに沿う集合ルータにより履行される既存のアグリーメントから出てくる。この方法は既存のプロトコールを修正することなく遂行できる。その代わりに、ホームエージェントとモバイルルータとに実施改変がなされる。
さらに、モバイルネットワーク上のノードはネットワークのモビリティに気付く必要はない。
【００１８】
本発明の実施例の方法では、インターネットへダイナミックな移動接続を介して接続されたホストは、殆どもしくは全くマニュアルなコンフィギュレーションなしで、それと一緒に移動する他のホストのためのルータとして作動できる。
【００１９】
本発明の実施例はモバイルＩＰｖ６を再利用してモバイルルータがさまざまなケア−オブ−アドレスを介してインターネットにアクセスさせ、他方ではモバイルルータの恒久的な、グローバルに到達可能のホームアドレスを保持している。このことを達成させているのは以下に説明するモバイルＩＰｖ６を改良した方法であって、アンダーライング(underlying)メッセージ  フォーマットを変更したりもしくはプロトコールエクステンションを加えることなくルータのモビリィティを許している。
【００２０】
モバイルルータがそれのホームネットワークから離れるときケア−オブ−アドレスを使用する。ケア−オブ−アドレスとはモバイルルータがそれのホームネットワークから離れている間そのモバイルルータに到達できるようにするアドレスである。第一に、モバイルノードは、それがアタッチしているネットワーク上のアドレス（ケア−オブ−アドレス）を取得する。アドレス（ケア−オブ−アドレス）は、ステートレスアドレスオートコンフィギュレーション、ステートフルアドレスコンフィギュレーションなどにより得られる。ステートフルアドレスコンフィギュレーションが含むアクションではモバイルルータはダイナミックホストコンフィギュレーションプロトコル（ＤＨＣＰ）、サーバーもしくは他のメカニズムを採用してこのアドレスを取得する。ステートレスオートコンフィギュレーションが含むアクションではモバイル  ルータはネットワークの広告のネットワークプリフイックスとそのモバイルのルータの識別子とを組み合わせることによりこのアドレスを取得する。しかしながら、本発明はこれらのアプローチに限定されるものではなく、モバイルルータがそれがアタッチしているネットワーク上のケアーオブーアドレスを取得させれるメカニズムであればどのようなメカニズムでも採用できる。いずれにしてもケア−オブ−アドレスを含む結合更新をモバイルルータのホームエージェントへモバイルルータが送る。モバイルルータのホームアドレスへ向けられたトラヒックをホームエージェントが受けるときホームエージェントはそのトラヒックを、結合更新に含まれているケア−オブ−アドレスを使ってモバイルルータへ送ることができる。
【００２１】
本発明の実施例では、さまざまな既存のプロトコールとプロトコールメッセージエクスチェンジを使ってモバイルルータとそれのモバイルIＰv６ホーム  エージェントの両方でステートを確立する。このステート（state）ではモバイルルータもしくはモバイルルータを使ってモバイルネットワークへ接続されたホストの何れかに向けられたパケットをホームエージェントにより、ホームネットワーク（そこにはホームエージェントが居る）における通常の到達点から現在の取付点におけるモバイルルータへトンネルさせられる。加えて、ホームネットワーク上のノードからのパケットはそのトンネルを介して送り返され、そこから通常のようにしてそれらの意図された宛先に送られる。こうすることで、不正確なトポロジーのため現在の取付点におけるルータによりパケットが無視されることは回避される。モバイルルータとホーム  エージェントのインプルメンテーションにおいてネットワークコードへ機能とパケット送付ルールとを加えることによりその方法を実施できる。
【００２２】
モバイルルータのインプルメンテーションの変更
図４のフローチャートは、モバイルルータが作動する方法の一例を示している。モバイルルータのインプルメンテーションは以下のように変わる。
【００２３】
（１）モバイルルータがそれのホームネットワークから離れて新しいアタッチメントポイント（取付点）に到達したとき、それはアドレスコンフィギュレーションにより記述されたグローバルな到達可能のケア−オブ−アドレスを取得する（ブロック４１０）。アドレスコンフィギュレーションはステートレスアドレスオートコンフィギュレーション、ステートフルアドレスコンフィギュレーション等を含んでいる。いずれにせよ、アドレス発生後に典型的にチェックがなされ、ネットワークにおいて他のノードがそのアドレスを使っているか、いないかを決定する。もし他のノードがそのアドレスを使っていなければ（それが典型である）、そのアタッチされたノードはそのアドレスを使える。
【００２４】
（２）モバイルＩＰｖ６結合更新メッセージを送ることによりモバイルルータがそれのケア−オブ−アドレスをそれのホームエージェントに登録し、それのホームネットワークに到達したパケットをそれの現在のアタッチメントポイントにおけるそれへトンネルさせる（ブロック４１５）。
【００２５】
（３）モバイルルータはそれ自体とそれのホームエージェントとの間に双方向トンネルを確立する（ブロック４２０）。
【００２６】
（４）モバイルルータはスタチイックなコンフィギュレーション情報を使用するか（利用者の場合）、もしくはそれのホームエージェント共にダイナミックなルーティングプロトコールを作動させて（フーリィエネーブル（fully  enabled）された場合）それのモバイルネットワークについてのルーティング情報をホームエージェントと交換するかのどちらかである（ブロック４２５）。例えば、モバイルルータとして使用された携帯電話は、その携帯電話のホーム  エージェントとして作動するセルラープロバイダーのルータのルーチングテーブルを更新させることはないのが典型である。モバイルルータとして使用された携帯電話はセルラープロバイダーのルータ上で入手できるルーチング情報のすべてを取得したいとは望まない。むしろ、モバイルネットワークへ向けられなかったすべての外向けトラヒックをセルラープロバイダーのルータへ送るように携帯電話をスタチックに構成する。
【００２７】
他方で、例えば何百と言うコンピュータと一緒に巡航客船に載っているモバイルルータは、ダイナミックなルーチングプロトコールに従事し、そしてそのモバイルルータのホームネットワークルータや他のルータとルーチング情報を交換することは許される。
【００２８】
（５）フーリィーエネーブルされた態様では、モバイルルータはそれのホームエージェントと一緒にダイナミックなルーテイングプロトコールを作動させて最新のルーチング情報を交換する。モバイルルータはこの内部ドメインのルーチングプロトコールの作動を、それがホームから離れて訪問先のドメインにアタッチしているときでさえ、継続する。このことは、ルーチングプロトコールが生きているインターフエースのリストをダイナミックに変更することにより達成される。例えば、モバイルルータがインターフエースＡを使って、モバイルルータはそれのホームネットワークへ接続され、そしてそのインターフエースを介してルーチング更新を交換していたとする。モバイルルータが動いて、訪問先のネットワークへ同じインターフエースでアタッチすると、ルーチングプロトコールはインターフエースＡに転ずる。これにより、モバイルルータが訪問先のネットワークへそれのモバイルサブネット内のルートを広告するのを防いでいる。
【００２９】
（６）モバイルルータはそれのホームエージェントへカプセル化トンネルをセットアップする。カプセル化トンネルは、モバイルルータとホームエージェントとの間でデータを送るのに使用できる、セキュアもしくは他の方法でもある。例えば、一つのパケットが別のパケットにカプセル化され、そしてホームエージェントへ送られる。セキュア（secure）交信チャンネルを提供するようトンネルが安全とされるのが典型である。このカプセル化トンネルは、ルーチングプロトコルが生きているインターフエースのリストへヴァーチャルインターフエースとして加えられる。それから、モバイルルータはこのトンネルを介してホームエージェントへルーチング情報を送り始める。大抵のＩＰｖ６内部ドメインルーチングプロトコールはリンクローカルアドレスをとって情報メッセージをルーチングするソースアドレスとして表れる。カプセル化トンネルは、別のＩＰヘッダーにルーチングメッセージをカプセル化することによりこのことを処理する。外部ＩＰヘッダーは、モバイルルータの現在のケア−オブ−アドレスとしてソースアドレスを、そしてホームエージェントのアドレスとして目的地もしくは宛先アドレスを有する。ホームエージェントがトンネルを通したルーチングメッセージを受けるとき、それはカプセルを外し、そして内部ルーチングメッセージを処理する。内部ルーチングメッセージは恰もそのパケットがリンク上のノードから送られてきたかのように現れる。
【００３０】
（７）それからモバイルルータはそれのモバイル  ネットワークへ広告（advertisement）を送り、（そのときは）標準のネイバーディスカバリープロトコル(Neighbor Discovery protocol)を使うか、もしくはアドホックネットワーキングプロトコル、例えばＡＯＤＶ（ad hoc on demand distance vector routing protocol）を作動させるかして他のモバイルホストへ接続する。
【００３１】
（８）モバイルルータは、ステップ３で確立した双方向トンネルを介してそれのモバイルネットワークとホームネットワークとの間でパケットを送ることを、それのフォーワーディング  エンジン（forwarding  engine）における規則としている（ブロック４３０）。
【００３２】
ホームエージェントの変化
図５は、ホームエージェントが作動する方法の一例を示すフローチャートである。
（１）内部ドメインルーチングプロトコールがその上で活動するインターフエースの一つとしてホームエージェントはモバイルルータとセットアップした双方向トンネルを加える（ブロック５１０）。
【００３３】
（２）ホームエージェントは、モバイルルータを介して到達できるすべてのプリフイックスのためのルーチングテーブルへルートエントリを加えもする（ブロック５１５）。
【００３４】
（３）モバイルルータに向けられたパケットがホームエージェントにより受け取られるとき、モバイルルータのための結合キャッシュエントリがあって、そしてそのパケットはモバイル  ルータへトンネルされる（ブロック５２０と５２５）。これは、モバイルＩＰｖ６により限定された他のモバイルノードで起きるであろうことと同じである。
【００３５】
（４）モバイルネットワーク上のノードに向けられたパケットがホームエージェントにより受け取られるとき、ホームエージェントはモバイルネットワークのためのルートエントリを見出し、そのモバイルネットワークではそのモバイルルータはその次のホップゲートウエイ（hop  gateway）としてリストされている。それからホームエージェントはモバイルルータのための別のルーチングルックアップでその元の結合キャッシュエントリを見つけ、そのパケットはモバイルルータへトンネルされる（ブロック５２０と５２５）。モバイルルータへもしくはモバイルネットワーク上のノードへ向けられるパケットをモバイルルータが受け取る毎にブロック５２０と５２５とは繰り返される。
【００３６】
典型的なシステム
図１は、両方ともホームにおけるモバイルルータとモバイルノードのブロック図である。図１のネットワークコンフィギュレーションでは通常のＩＰｖ６機構を使用して、メッセージのルートをつけている。モバイルネットワーク１０５のプリフイックスがホームネットワーク１１０のプリフイックスと一緒になっている。モバイルルータ１１５がホームにあって、ホームリンクにアッタチされているときモバイル  ネットワークに向けられたパケットは一つのモバイルルータ１１５のインターフエース上に現れる。そのとき、モバイルルータ１１５はモバイルルータ１０５へのパケットのルートを決めれる。この場合、モバイルルータ１１５は通常のルータとして働く。
【００３７】
対応ノード１２０は、メッセージを送ろうとしているインターネット上のどこかのノードである。対応ノード１２０は、メッセージをモバイルネットワーク１０５を送るのにモバイル  ネットワーク１０５におけるノードの移動性もしくはモビリティについて何も知る必要はない。
【００３８】
図２は、モバイルネットワークにドック入りしているモバイルノードのブロック図である。モバイルルータ１１５はそれのホーム  ネットワークへまだアタッチされている。対応ノード１２０からモバイルノードへのパケットは二つ以上の路の一つに向けられる。もしも対応ノード１２０がモバイルノード２０５の移動性について何も知らないと、対応ノード１２０はパケットをモバイルノード２０５のホームアドレスへ送る。モバイルノード２０５のホームネットワークへ送られた後ホームエージェント２１０はパケットを取上げる。それがパケットを受け取った後、ホームエージェント２１０は結合テーブル２１５を見る。結合テーブル２１５においてホームエージェント２１０は、モバイルノード２０５のためのケア−オブ−アドレスをホームエージェント２１０に告げる結合エントリを見つける。それから、ホームエージェント２１０はパケットをケア−オブ−アドレスへ送り、パケットはモバイルルータ１１５へ渡され、それからモバイルノード２０５へ渡される。
【００３９】
対応ノード１２０は結合をサポートし、そしてモバイルノード２０５の移動性に気が付く。対応ノード１２０が結合をサポートしているとき、対応ノード１２０はモバイルノード２０５のケア−オブ−アドレスへ向けてメッセージを送る。
【００４０】
図３は、モバイルルータを介してアクセスされるモバイルネットワークにドック入りしているモバイルノードのブロック図である。モバイルルータは外のホームネットワークへアタッチされている。モバイルルータ１１５は訪問先のネットワーク３０５へアタッチされている。モバイルルータ１１５のホームネットワーク（ホームネットワーク１１０）と訪問先のネットワーク３０５とは任意の相互オペレータリンク３１０を介して接続されている。相互オペレータリンク３１０が提供するファスタリンクでは、ホームネットワーク１１０上のルータと訪問先のネットワーク３０５との間で動くとき、トラヒックはインターネットを介して動く必要はない。相互オペレ−タリンク３１０が提供するファスターリンクでは、訪問先のネットワーク３０５とホームネットワーク１１０のルータの間で移動するときインターネットを介してトラヒックが移動する必要はない。
【００４１】
対応ノード１２０がメッセージをモバイルノード２０５へもしくはモバイルネットワーク１０５の他のノードへ送るとき、そのメッセージはホームネットワーク１１０に到達する。ホームエージェント３１５はそのメッセージを見、そしてそのメッセージはモバイルネットワークへ送られるべきであることを理解する。それが結合キャッシュ３２０に結合を見つけると、その結合において指示されたケア−オブ−アドレスのモバイルルータ１１５へメッセージを送るべきであることをホームエージェント３１５は認識する。それから、ホームエージェント３１５は、トンネル、インターネット、訪問先のネットワークルータ３２５を介してモバイルルータ１１５へメッセージを送る。図３では、訪問先のネットワーク３０５において到達可能のケア−オブ−アドレスにモバイルルータ１１５はアタッチされる。
【００４２】
パケットを受け取るとモバイルルータ１１５はパケットをカプセルから出し、そしてそれがそのパケットをモバイルネットワーク１０５へのルートをつけるべきであるということを決定する。それから、モバイルルータ１１５の他のインターフエース上でそのメッセージをモバイルネットワーク１０５へ送る。
【００４３】
モバイルノード２０５のホームアドレスへメッセージを宛てることにより対応ノード１２０がモバイルノード２０５へメッセージを送るとき、そのメッセージはホームネットワーク１２５に到達する。ホームエージェント２１０はそのメッセージを見る。ホームエージェント２１０はキャッシュ結合２１５を見て、そのメッセージがケア−オブ−アドレスへ送られるべきであることを知る。それから、ホームエージェント３１５はトンネルを介してケア−オブ−アドレスへそのメッセージを送る。ホームエージェント３１５はそのメッセージを見、そしてキャッシュ結合３２０を見る。そのメッセージがモバイルネットワーク１０５へ送られるべきであることをキャッシュ結合３２０の結合が指示している。それから、ホームエージェント３１５はトンネルを介してそのメッセージをモバイルルータへ送る。モバイルルータ１１５はそのメッセージのカプセルを外し、そしてモバイルネットワーク１０５へそのメッセージを送る。
【００４４】
コンピューティングシステムで作動する一連のコンピュターの実行ステップもしくはプログラム  モジュールとして及び又はコンピューティングシステム内で相互に接続されたマシーンの論理回路や回路モジュールとして本発明の様々な実施例が考えられる。それらの実施例は本発明を実施するコンピューティングシステムの作動上の要請に応えて選択される。ここに開示した実施例の機能と作動とがソフトウエア、ハードウエア、特殊目的のデジタル  ロジックもしくはそれらの組み合わせという形で、本発明の技術思想の範囲内で、様々に実施できることは、当業者であればこの明細書の記載から認識するであろう。
【００４５】
上に説明した実施例とデータは本発明の完全な製作と利用とを可能とするものである。請求項に記載の本発明の技術思想の範囲内で多くの態様で実施できる。
【図面の簡単な説明】
【００４６】
【図１】両方ともホームにあるモバイルルータとモバイルノードのブロック図である。
【図２】モバイルネットワークにドック入りしたモバイルノードのブロック図である。
【図３】モバイルルータを介してアクセスされるモバイルネットワークにドック入りしたモバイルノードのブロック図であり、モバイルルータは外のネットワークにアタッチされている。
【図４】モバイルロータが作動する典型的な方法を示すフローチャートである。
【図５】ホームエージェントが作動する典型的な方法である。
【図１】
2005510122.tif 000003
【図２】
2005510122.tif 000004
【図３】
2005510122.tif 000005
【図４】
2005510122.tif 000006
【図５】
2005510122.tif 000007
【国際調査報告】
2005510122.tif 000008
2005510122.tif 000009